(57)【要約】【課題】動画像データに対して他の機器に保存された動画像または静止画像データを組み込む編集作業を簡易に行う。【解決手段】編集対象の動画像データの再生を一時停止状態とする。一時停止状態の間に、動画像データに挿入する静止画像データが保存される他機器が通信部に接近され、近接無線通信による通信が確立すると、動画像データの一時停止位置を示す挿入マーカが、当該動画像データに対して付与される。そして、他機器との間で近接無線通信による通信がなされ、他機器から送信された静止画像データが受信される。近接無線通信による接続から切断までの時間が測定され、測定の結果得られた接続時間が静止画像データの再生時間に設定される。他機器が通信可能圏内から出され、通信が切断されると、挿入マーカの位置で動画像データが分割され、分割された位置に対して、設定された再生時間の長さだけ、静止画像データが挿入される。【選択図】図４
2010130112.tif 000002
【特許請求の範囲】
【請求項１】
近接無線通信による他機器との通信が接続されているかを検知する検知手段と、
前記近接無線通信による前記他機器とのデータの送受信を行う通信手段と、
編集対象データに、他のデータを組み込む位置を示すマーカを付与する付与手段と、
前記編集対象データの前記マーカで示される位置から他のデータの組み込みを行う編集手段と、
前記検知手段で前記近接無線通信による前記他機器との接続の開始が検知されたことに応じて、該編集対象データに対して前記付与手段により前記マーカを付与すると共に、該他機器から該近接無線通信により送信されるデータを前記通信手段で受信し、
前記編集手段を制御して、前記通信手段で受信された前記データを、前記編集対象データの前記マーカで示される位置に組み込むよう制御する制御手段と
を有する
ことを特徴とする編集装置。
【請求項２】
前記編集対象データの再生が一時停止されている間に、前記検知手段により前記近接無線通信による前記他機器との接続が開始されたことが検知された場合、前記制御手段は、該編集対象データの該一時停止している位置に対して前記付与手段により前記マーカを付与するよう制御する
ことを特徴とする請求項１に記載の編集装置。
【請求項３】
前記編集対象データの再生中に、前記検知手段により前記近接無線通信による前記他機器との接続が開始されたことが検知された場合、前記制御手段は、該編集対象データの再生を一時停止させ、該編集対象データの該一時停止している位置に対して前記付与手段により前記マーカを付与するよう制御する
ことを特徴とする請求項１に記載の編集装置。
【請求項４】
前記編集対象データが動画像データであり、前記他機器から受信したデータが静止画像データの場合、
前記制御手段は、
前記検知手段により前記他機器との通信の接続の開始が検知されてから切断が検知されるまでの接続時間を測定し、測定された該接続時間を前記静止画像データの再生時間に設定し、前記編集対象データの前記マーカで示される位置から該静止画像データが該再生時間の長さだけ再生されるように、前記組み込みを行うよう制御する
ことを特徴とする請求項１乃至請求項３の何れか１項に記載の編集装置。
【請求項５】
前記編集手段は、
データの再生順を管理するプレイリストを用いて、前記編集対象データを加工せずに前記通信手段で受信されたデータを該編集対象データに対して前記組み込む
ことを特徴とする請求項４に記載の編集装置。
【請求項６】
前記編集手段は、
前記静止画像データを、前記再生時間だけ連続的に表示させる記述を前記プレイリストに対して行うことで、前記組み込みを行う
ことを特徴とする請求項５に記載の編集装置。
【請求項７】
前記編集手段は、
前記静止画像データを、前記編集対象データに対応するフォーマットを有し、前記再生時間の長さを持つ動画像データに変換して該編集対象データに対する前記組み込みを行う
ことを特徴とする請求項４または請求項５に記載の編集装置。
【請求項８】
前記編集手段は、
前記静止画像データを、前記編集対象データに対応するフォーマットの、前記再生時間の長さを持つ動画像データに変換し、
前記編集対象データを前記マーカの位置で分割して該分割した位置に該静止画像データが該変換された動画像データを挿入し、該分割された該編集対象データのそれぞれと該挿入された該動画像データとを結合することで、前記組み込みを行う
ことを特徴とする請求項４に記載の編集装置。
【請求項９】
音声データを取得する音声データ取得手段をさらに有し、
前記制御手段は、
前記検知手段により前記他機器との通信の接続の開始が検知されてから、切断が検知されるまでの間、前記音声データ取得手段により前記音声データを取得し、取得した該音声データと、前記静止画像データとを関連付けて保存する
ことを特徴とする請求項４乃至請求項８の何れか１項に記載の編集装置。
【請求項１０】
前記制御手段は、
予め用意された音声データを前記静止画像データと関連付けて保存する
ことを特徴とする請求項４乃至請求項８の何れか１項に記載の編集装置。
【請求項１１】
前記編集対象データが動画像データであり、前記他機器から送信されるデータが動画像データであって、
前記編集手段は、
動画像データの再生順を管理するプレイリストを用いて前記他機器から送信される動画像データの前記編集対象データに対する前記組み込みを行う
ことを特徴とする請求項１乃至請求項３の何れか１項に記載の編集装置。
【請求項１２】
前記編集対象データが動画像データであり、前記他機器から送信されるデータが動画像データであって、
前記編集手段は、
前記編集対象データを前記マーカの位置で分割して該分割した位置に前記他機器から送信されるデータを挿入し、該分割された該編集対象データのそれぞれと該挿入された該データとを結合することで、前記組み込みを行う
ことを特徴とする請求項１乃至請求項３の何れか１項に記載の編集装置。
【請求項１３】
前記編集手段は、
前記他機器から送信されるデータで、前記編集対象データを前記マーカの位置から上書きする
ことを特徴とする請求項１乃至請求項３の何れか１項に記載の編集装置。
【請求項１４】
前記編集対象データが音声データを含み、前記他機器から送信されるデータが音声データであって、
前記編集手段は、
前記編集対象データに含まれる前記音声データに対して、前記他機器から送信される前記データの前記マーカの位置からの上書きを行う
ことを特徴とする請求項１３に記載の編集装置。
【請求項１５】
近接無線通信による他機器との通信が接続されているかを検知する検知ステップと、
前記近接無線通信による前記他機器とのデータの送受信を行う通信ステップと、
編集対象データに、他のデータを組み込む位置を示すマーカを付与する付与ステップと、
前記編集対象データの前記マーカで示される位置から他のデータの組み込みを行う編集ステップと、
前記検知ステップで前記近接無線通信による前記他機器との接続の開始が検知されたことに応じて、該編集対象データに対して前記付与ステップにより前記マーカを付与すると共に、該他機器から該近接無線通信により送信されるデータを前記通信ステップで受信し、
前記編集ステップを制御して、前記通信ステップで受信された前記データを、前記編集対象データの前記マーカで示される位置に組み込むよう制御する制御ステップと
を有する
ことを特徴とする編集方法。
【請求項１６】
コンピュータを請求項１乃至請求項１４の何れか１項に記載の編集装置として機能させることを特徴とするプログラム。
【請求項１７】
撮像光学系を介して入射された光を撮像して撮像信号として出力する撮像手段と、
集音した音声を音声データに変換して出力する音声処理手段と、
前記撮像手段を用いて得られた前記撮像信号に基づく動画像データと、音声処理手段から出力された音声データとを前記編集対象データとして記録媒体に記録する記録手段と、
前記記録媒体から前記編集対象データを再生する再生手段と、
請求項１乃至請求項１４の何れか１項に記載の編集装置と
を有する
ことを特徴とする撮像装置。
【発明の詳細な説明】
【技術分野】
【０００１】
本発明は、画像の編集を行う編集装置および編集方法、ならびに、撮像装置に関し、特には、動画像データに対して他の機器から供給されたデータを組み込む編集を行う編集装置および編集方法、ならびに、撮像装置に関する。
【背景技術】
【０００２】
近年では、半導体メモリに撮影で得た画像データを記録することが可能なデジタルスチルカメラが、銀塩フィルムに画像を記録する旧来のカメラを越えて広く一般に普及している。さらに、ハードディスクや半導体メモリ、光ディスクに動画像データを記録することが可能なデジタルビデオカメラが登場し、従来からの磁気テープに動画像データを記録するビデオカメラに替わり、一般に普及し始めている。
【０００３】
デジタルスチルカメラでは、単独の静止画像のみならず、連写による画像や動画像などの、時間的に連続した画像も撮影できる機種が多い。同様に、デジタルビデオカメラでは、動画像のみならず静止画像の撮影も可能とした機種が多い。しかしながら、デジタルスチルカメラの動画像撮影機能はデジタルビデオカメラには劣り、同様にデジタルビデオカメラの静止画像撮影機能はデジタルスチルカメラには劣るのが一般的である。そのため、例えば旅行やイベントなど重要な撮影を行う際に、静止画像はデジタルスチルカメラを用いて撮影し、動画像はデジタルビデオカメラを用いて撮影するというように、目的に応じて機器を使い分けることが多く行われる。
【０００４】
このように、それぞれの機器で撮影した画像を組合せて１つの画像を作成する場合、従来では、それぞれの画像をパーソナルコンピュータに転送し、編集用ソフトウェアを使用して編集作業が行われていた。ユーザは、画像の編集のためにパーソナルコンピュータと編集用ソフトウェアを用意する必要があると共に、画像をパーソナルコンピュータに転送する手間がかかり、煩わしさを感じる場合があった。
【０００５】
そこで、パーソナルコンピュータを使用せずに編集作業を可能とする方法が幾つか提案されている。特許文献１には、記録されている動画像データ中の任意の時間位置を指定し、指定した状態から撮影モードに移行し、撮影により得られた画像データを指定された時間位置に組み込む方法が記載されている。また、特許文献２には、着脱可能な外部記録メディア内に用意されているタイトル画像を、記録または再生中のコンテンツデータの現在の記録位置または再生位置に自動挿入する方法が記載されている。
【０００６】
【特許文献１】特開２００６−３４０３８１
【特許文献２】特開２００３−２７４３５２
【発明の開示】
【発明が解決しようとする課題】
【０００７】
しかしながら、上述した特許文献１では、既に撮影した画像を動画中の任意の位置に組み込むことはできず、また、他機器で撮影した画像を組み込むことができないという問題点があった。
【０００８】
また、上述した特許文献２では、画像転送を機器同士で直接的に行うことができず、画像を外部記録媒体に一旦転送する必要がある。このとき、デジタルスチルカメラとデジタルビデオカメラとが共通の外部記録媒体に対応していれば、外部記録媒体を交換するだけで済む。ところが、デジタルスチルカメラとデジタルビデオカメラとが共通の外部記録媒体に対応していない場合は、パーソナルコンピュータなどを用いて、対応する外部記録媒体に画像を転送する必要があり手間がかかってしまう問題点があった。
【０００９】
そこで、上述の課題の少なくとも１つを解決するため、本発明は、動画像データに対して他の機器に保存された動画像または静止画像データを組み込む編集作業を簡易に行うことができる編集装置および編集方法、ならびに、撮像装置を提供することを目的とする。
【課題を解決するための手段】
【００１０】
本発明は、上述した課題を解決するために、近接無線通信による他機器との通信が接続されているかを検知する検知手段と、近接無線通信による他機器とのデータの送受信を行う通信手段と、編集対象データに、他のデータを組み込む位置を示すマーカを付与する付与手段と、編集対象データのマーカで示される位置から他のデータの組み込みを行う編集手段と、検知手段で近接無線通信による他機器との接続の開始が検知されたことに応じて、編集対象データに対して付与手段によりマーカを付与すると共に、他機器から近接無線通信により送信されるデータを通信手段で受信し、編集手段を制御して、通信手段で受信されたデータを、編集対象データのマーカで示される位置に組み込むよう制御する制御手段とを有することを特徴とする編集装置である。
【００１１】
また、本発明は、近接無線通信による他機器との通信が接続されているかを検知する検知ステップと、近接無線通信による他機器とのデータの送受信を行う通信ステップと、編集対象データに、他のデータを組み込む位置を示すマーカを付与する付与ステップと、編集対象データのマーカで示される位置から他のデータの組み込みを行う編集ステップと、検知ステップで近接無線通信による他機器との接続の開始が検知されたことに応じて、編集対象データに対して付与ステップによりマーカを付与すると共に、他機器から近接無線通信により送信されるデータを通信ステップで受信し、編集ステップを制御して、通信ステップで受信されたデータを、編集対象データのマーカで示される位置に組み込むよう制御する制御ステップとを有することを特徴とする編集方法である。
【発明の効果】
【００１２】
本発明によれば、動画像データに対して他の機器に保存された動画像または静止画像データを組み込む編集作業を簡易に行うことができる。
【発明を実施するための最良の形態】
【００１３】
以下、本発明の実施形態を、図面を参照しながら説明する。本発明では、図１に例示されるように、他機器２に保存される静止画像データ、動画像データまたは音声データを、近接無線通信により編集装置１に送信し、編集装置１に保存される、再生が時系列的に行われる編集対象データの所望の位置に組み込む編集処理を行う。より詳しくは、編集装置１は、他機器２との間の近接無線通信による通信の接続が開始されたタイミングに応じた編集対象データの再生位置に対して、他機器２から送信されるデータを編集対象データに対して組み込む位置を示すマーカを付加する。そして、他機器２との近接無線通信による通信が切断された後に、他機器２から送信されたデータを、マーカの位置から、編集対象データに対して組み込む。
【００１４】
なお、編集対象データは、例えば動画像データや音声データである。また、図１では、編集装置１がデジタルビデオカメラ、他機器２がデジタルスチルカメラとしているが、これは一例であって、この例に限定されるものではない。
【００１５】
なお、本明細書において、「近接無線通信」とは、通信距離が１ｍ未満、特には数１０ｃｍ未満であることを想定して規定された通信プロトコルに基づく無線通信を意味するものとする。このような通信プロトコルとしては、通信距離が約７０ｃｍ以下の「近傍型」、同約１０ｃｍ以下の「近接型」非接触通信プロトコルが知られている。具体的には、ISO/IEC 15693、ISO/IEC 14434、ECMA-340 (ISO/IEC 18092)などの規格が存在する。
【００１６】
さらに、中心周波数が４．４８ＧＨｚ帯の電波を用い、通信可能範囲を数ｃｍ以内に限定し、且つ、５６０Ｍｂｐｓの最大転送レートを実現した無線通信技術も実用化されている。このような近接無線通信は、高速な実効転送速度が得られる特徴があり、さらには、機器を小型化できる点や微弱電波のため屋外でも使用できるといった利点がある。また、常に機器同士を接近させるという行為が必要となるので、他機器との意図しない通信が発生しにくい。そのため、ペアリングや認証作業が不要となり、従来の無線技術にあった設定の煩わしさや、セキュリティの考慮から開放され、簡単に接続できるという利点もある。
【００１７】
図２は、本発明に適用可能な編集装置１の一例の構成を示す。記録媒体１０は、動画像データを記録するためのもので、例えばハードディスクや不揮発性の半導体メモリ、記録可能な光ディスクを適用できる。なお、記録媒体１０は、これらに限らず、動画像データを記録可能な容量を有し、且つ、ランダムアクセスが可能であれば、他の種類の記録媒体を適用可能である。
【００１８】
制御手段としての制御部１５は、例えばＣＰＵ、ＲＯＭおよびＲＡＭを有し、ＲＯＭに予め記憶されたプログラムに従い、ＲＡＭをワークメモリに用いて、この編集装置１の各部を制御する。操作部１７は、ユーザ操作を受け付けるための各種操作子を有し、操作子に対する操作に応じた制御信号を出力する。制御部１５は、操作部１７から出力された制御信号に応じて、プログラムに従い各種信号処理や編集装置１の各部の制御を行うことで、編集装置１のユーザ操作に応じた動作を実現する。
【００１９】
音声データ取得手段としての音声入力部１９は、例えばマイクロフォンであって、外部からの音声を入力し、アナログ音声信号に変換する。音声入力部１９から出力されたアナログ音声信号は、音声処理部１４によりデジタル音声データに変換される。
【００２０】
通信手段および検知手段としての通信部１８は、上述した近接無線通信による通信を行う。より具体的には、通信部１８は、近接無線通信を行うためのアンテナと、近接無線通信によるデータの送受信を行う送受信回路を含む。通信部１８は、近接無線通信による通信の接続および切断状態を検知することができるようにされ、検知された通信の接続および切断状態は、制御部１５に通知される。他機器から近接無線通信により送信された動画像データ、静止画像データおよび音声データなどは、通信部１８により受信され、編集部１６または記録処理部１３に供給される。
【００２１】
通信部１８が通信の接続および切断状態を判断する方法の例について説明する。一例として、通信部１８は、接続先の機器と一定間隔で通信を行い、接続先機器からのレスポンスが一定時間内に無かった場合、通信が切断状態になったと判断することができる。通信の接続も同様に、例えば、通信部１８は、接続が確立されていない状態で通信を試み、接続先機器からのレスポンスがあったら、通信が接続状態になったと判断することができる。
【００２２】
これに限らず、例えば電磁誘導により接続先機器に電力を供給するタイプの近接無線通信では、通信部１８が電力供給側の場合、接続先機器が通信部１８に接近して電力が供給されることで通信が開始される。そして、当該機器が通信部１８から離れることで電力の供給が停止し、通信が中断される。
【００２３】
編集手段としての編集部１６は、メモリを有し、制御部１５の制御に基づき、静止画像データ、動画像データおよび音声データの編集を行う。より具体的には、編集部１６に対して、再生処理部１２、通信部１８および音声処理部１４から静止画像データや動画像データ、音声データが供給される。編集部１６は、例えば、編集対象のデータの一部または全部をメモリ上に展開して、メモリ上で静止画像データ、動画像データおよび音声データに対する編集処理を行う。
【００２４】
記録処理部１３は、静止画像データ、動画像データおよび音声データをそれぞれ圧縮符号化するエンコーダと、記録媒体１０に対するデータの記録を制御する記録制御部とを含む。すなわち、記録処理部１３は、制御部１５の制御に基づき、静止画像データ、動画像データおよび音声データをそれぞれ圧縮符号化し、圧縮符号化されたデータにエラー訂正符号化を施し、記録媒体１０に記録する。例えば、編集部１６で編集された動画像データや、通信部１８で受信した静止画像データ、動画像データ、音声データに対して圧縮符号化およびエラー訂正符号化を施して記録媒体１０に記録する。同様に、音声処理部１４から供給された音声データに対して圧縮符号化およびエラー訂正符号化を施して記録媒体１０に記録する。
【００２５】
再生処理部１２は、記録媒体１０に記録されたデータの再生を制御する再生制御部と、圧縮符号化された静止画像データ、動画像データおよび音声データをそれぞれ復号するデコーダとを含む。すなわち、再生処理部１２は、制御部１５の制御に基づき、記録媒体１０からデータを読み出し、記録媒体１０に記録されたデータの再生を行う。また、再生処理部１２は、制御部１５の制御に基づき、記録媒体１０から再生されたデータに対してエラー訂正符号や圧縮符号の復号処理を行い、再生データを生成する。
【００２６】
再生処理部１２で生成された動画像データや静止画像データは、例えば表示部１１に表示される。これに限らず、表示部１１は、制御部１５で生成された表示制御信号に応じた表示を行うこともできる。
【００２７】
このような構成の編集装置１を用いて編集作業を行う際に、先ず、ユーザは、操作部１７を操作して編集装置１の動作モードを近接無線通信を用いた編集モードに切り換える。以下、近接無線通信を用いて編集モードを、近接無線編集モードと呼ぶ。また、記録媒体１０には、編集対象の動画像データが予め記録されているものとする。
【００２８】
動作モードが近接無線編集モードに切り換えられると、制御部１５の制御により、表示部１１に対して、図３に例示されるような編集対象の動画像データを選択するための一覧画面２０が表示される。一覧画面２０は、例えば、記録媒体１０に記録される動画像データの所定のフレーム画像を縮小して一覧表示としたものである。ユーザは、操作部１７を操作して選択カーソル２１を移動させ、編集対象とする動画像データを選択する。
【００２９】
なお、装置の制御は、１つのハードウェアで行ってもよいし、複数のハードウェアが処理を分担しながら装置全体を制御するよう機能してもよい。また、制御部１５と編集部１６は、必ずしも別のハードウェアである必要はない。例えば、１つのＣＰＵが上述の制御部１５および編集部１６の両方の機能を実現するように構成してもよい。
【００３０】
＜第１の実施形態＞
以下、本発明の第１の実施形態による編集処理について説明する。なお、以下では、煩雑さを避けるため、接続先機器から送信される静止画像データまたは動画像データを、画像データと呼ぶ。
【００３１】
図４は、本第１の実施形態による編集動作を概略的に示す一例のフローチャートである。この図４のフローチャートによる各処理は、制御部１５によりプログラムに従い編集装置１の各部が制御されて実行される。
【００３２】
ステップＳ１００で上述のようにして編集対象の動画像データが選択されると、処理はステップＳ１０１に移行される。ステップＳ１０１では、選択された動画像データが再生処理部１２により記録媒体１０から読み出され、エラー訂正符号および圧縮符号の復号処理などの再生処理が行われる。再生された動画像データは、表示部１１に動画像として表示される。
【００３３】
次のステップＳ１０２では、動画像データの再生が一時停止状態に遷移したか否かが判定される。例えば、操作部１７に対するユーザ操作により一時停止が選択されると、動画像データの再生が一時停止状態に遷移する。若し、一時停止状態に遷移していないと判定されたら、処理はステップＳ１０７に移行され、動画像データの再生が終了したか否かが判定される。再生が終了したと判定されたら一連の処理が終了され、再生が終了していないと判断されたら、処理はステップＳ１０１に戻され、動画像データの再生が継続される。
【００３４】
一方、ステップＳ１０２で、動画像データの再生が一時停止状態に遷移したと判定されたら、処理はステップＳ１０３に移行され、近接無線通信の接続が確立されるのを待機する。接続が確立されていない場合、処理はステップＳ１０２に戻される。
【００３５】
ステップＳ１０３における近接無線通信による接続の確立処理を、より詳細に説明する。ステップＳ１０３において、編集装置１は、他機器２からの近接無線通信による接続要求があるか否かを定期的に監視する状態となる。
【００３６】
一例として、他機器２において、編集装置１で編集対象として選択されている動画像データに組み込むための画像データを、例えばユーザからの操作に基づいて予め選択する。以下、この編集対象の動画像データに組み込むための画像データを、挿入画像データと呼ぶ。この選択された挿入画像データが、接続先機器である他機器２から、近接無線通信により編集装置１に送信されることになる。
【００３７】
他機器２を、近接無線通信によるデータ送信を行える状態、すなわち、近接無線通信の接続要求を定期的に送信する状態とする。そして、他機器２の近接無線通信による通信部を、編集装置１の通信部１８に対して通信可能圏内に接近させる。編集装置１は、通信部１８において他機器２からの接続要求を検知すると、他機器２の接続情報を例えば通信部１８に設定し、当該他機器に対して接続許可を返す。他機器２は、この接続許可を受け取ると、同様にして編集装置１の接続情報を通信部に設定する。
【００３８】
近接無線通信は、１対１の通信であるので、１つの機器と接続が確立した状態にあるときに、接続要求を送信する別の機器を通信部に接近させても、通信部は、その別の機器と接続を確立することはない。さらに、接続要求を検知しない限りは、他機器の通信部が近接無線通信による通信可能圏内に入ったとしても、接続を確立することはない。
【００３９】
ステップＳ１０３で、編集装置１と他機器２との間で近接無線通信による接続が確立されると、処理はステップＳ１０４に移行される。ステップＳ１０４では、編集装置１において再生を一時停止している動画像データに対し、一時停止している再生位置を示すマーカである挿入マーカを付与する。挿入マーカは、動画像データの一時停止している再生位置を、例えば当該動画像データの先頭からの再生時間で示す。これに限らず、挿入マーカは、例えば動画像データのバイト位置などで一時停止している再生位置を示してもよい。この挿入マーカにより示される位置に、近接無線通信により接続された他機器２から受信した挿入画像データが挿入されることになる。挿入マーカは、例えば付与手段としての編集部１６により付与され、制御部１５が有するＲＡＭに一時的に記憶される。
【００４０】
処理は次のステップＳ１０５に移行され、他機器２から送信された画像データの通信部１８による受信が開始される。例えば、通信部１８は、ステップＳ１０４での挿入マーカの付与が完了すると、他機器２に対して、挿入画像データの受信が可能になった旨を近接無線通信により通知する。他機器２は、この通知を受け取ると、挿入画像データの送信を開始する。受信された挿入画像データは、例えば記録処理部１３が有する図示されないバッファメモリを介して、逐次的に記録媒体１０に対して記録される。
【００４１】
次のステップＳ１０６で、受信された挿入画像データが、編集対象として選択された動画像データの挿入マーカの位置に挿入されて、受信された挿入画像データの編集対象の動画像データに対する組み込みが行われる。このステップＳ１０６による画像データの挿入処理の詳細は、後述する。ステップＳ１０６での画像データの挿入処理が完了すると、処理はステップＳ１０１に戻り、例えば動画像データの再生が一時停止した位置から再開される。
【００４２】
図５は、図４のステップＳ１０６による画像データ挿入処理をより詳細に示す一例のフローチャートである。この図５のフローチャートによる処理は、制御部１５によりプログラムに従い編集装置１の各部が制御されて実行される。
【００４３】
本第１の実施形態では、プレイリストを作成して画像データの挿入を行う。プレイリストは、動画像データの再生順を管理するための情報が記述されたリストであって、例えば撮影したシーンを再生したい順に並べたリストである。より具体的な例として、プレイリストは、例えば動画像データにおける各シーンについて、再生時刻とデータ上の位置（例えばバイト位置）とが対応付けられて記述されると共に、各シーンの再生順が記述される。制御部１５は、プレイリストに従い再生処理部１２を介して記録媒体１０を制御して、記録媒体１０に記録される動画像データの再生を行う。
【００４４】
プレイリストを用いることで、オリジナルの動画像データに対する加工を行うことなく、シーンの分割、移動および削除などの編集処理を行うことができる。プレイリストは、対応する動画像データと関連付けられて、例えば当該動画像データが記録される記録媒体１０に保存される。
【００４５】
先ず、ステップＳ２００で、制御部１５は、上述のステップＳ１００において編集対象として選択された動画像データに対するプレイリストが作成されているか否かを判定する。若し、既にプレイリストが作成されていると判定されたら、処理はステップＳ２０２に移行される。一方、プレイリストが作成されていないと判定されたら、処理はステップＳ２０１に移行され、例えば編集部１６において、選択されている動画像データの情報に基づき新規にプレイリストが作成される。なお、新規に作成されたプレイリストあるいは既に作成されているプレイリストには、少なくとも編集対象の動画像データを先頭から再生するための情報と、挿入マーカを示す情報とが記述されるものとする。
【００４６】
次のステップＳ２０２では、制御部１５は、他機器２から送信されステップＳ１０５にて受信が開始されたデータが静止画像データであるか否かを判定する。
【００４７】
受信したデータが静止画像データであるか否かの判定は、例えばどの画像種類のデータを受信するのかを、編集装置１において予め選択してからデータの受信を開始することで可能である。これに限らず、挿入画像データがファイルに格納されるデータとして送信される場合には、ファイル名の拡張子に基づき静止画像データであるか否かを判定することができる。さらには、挿入画像データと共に挿入画像データの属性を示すメタデータを他機器２から送信するようにし、編集装置１側で、受信されたメタデータに基づき静止画像データか否かを判定することもできる。
【００４８】
若し、ステップＳ２０２で、受信したデータが静止画像データであると判定されたら、処理はステップＳ２０３に移行される。ステップＳ２０３では、他機器２が編集装置１と近接無線通信を用いて接続されている時間の測定を開始する。すなわち、受信した画像データが静止画像データであった場合には、静止画像データの再生時間を決めるために、近接無線通信による接続が継続している時間を測定する。換言すれば、近接無線通信の接続が確立してから切断されるまでの時間を、受信した静止画像データの再生時間の長さに設定する。
【００４９】
近接無線通信の接続が継続しているか否かの確認は、編集装置１の通信部１８から定期的に接続確認要求を接続先に送信し、接続先からの返信があるか否かで行う。すなわち、他機器２からの返信が接続確認要求の送信から所定時間以内に受信されれば、接続が継続していると判断する。若し、返信が所定時間以上経過しても受信されなければ、他機器２が通信可能圏内から出たものとして、設定した接続先情報を消去する。あるいは、編集装置１は、他機器２から接続解除要求を受け取った場合に、設定した接続先情報を消去する。設定した接続先の情報を消去することを、近接無線通信による接続を切断すると見なす。
【００５０】
ステップＳ２０３で接続時間の測定が開始されると、処理はステップＳ２０４に移行され、音声入力がＯＮ（有効）に設定されているか否かを判定する。
【００５１】
なお、音声入力の設定は、上述した図４のフローチャートから開始される編集動作に先立って予め行っておくものとする。図６（ａ）は、音声入力のＯＮ／ＯＦＦを設定するための一例のメニュー画面３０を示す。制御部１５は、操作部１７に対するユーザ操作など、表示部１１に対してこのメニュー画面３０を表示させる。ユーザは、このメニュー画面３０に従い、操作部１７により選択カーソル３１を操作して、音声入力のＯＮおよびＯＦＦ（無効）を設定する。
【００５２】
ここで入力のＯＮ／ＯＦＦが設定される音声は、静止画像データが挿入された動画像データの再生時に、当該静止画像データの再生期間においてＢＧＭとして使用するためのものである。メニュー画面３０において選択カーソル３１を「いいえ」に移動に移動させ、音声入力のＯＦＦを設定すると、静止画像データを再生する際のデフォルトのＢＧＭを選択することができる。例えば、選択カーソル３１を「いいえ」に移動すると、図６（ｂ）に示すようなメニュー画面３２に切り替わり、デフォルトのＢＧＭをリスト３３から選択して設定することができる。なお、デフォルトのＢＧＭを再生するための音声データは、例えば記録媒体１０に予め記録され、メニュー画面３２から選択可能に登録されているものとする。
【００５３】
ステップＳ２０４で、音声入力がＯＮに設定されていると判定されたら、処理はステップＳ２０５に移行され、音声録音が開始される。例えば、音声入力部１９に対して入力された音声が音声処理部１４でデジタル音声信号に変換され、音声処理部１４が有する図示されないメモリに一時的に格納する。これに限らず、デジタル音声信号を記録処理部１３に供給し、圧縮符号化およびエラー訂正符号を付加して記録媒体１０に記録することもできる。そして、次のステップＳ２０６で、近接無線通信の接続が切断されたか否かを判定され、近接無線通信が接続されていると判定されたら、処理がステップＳ２０５に戻されて、音声の録音が継続される。
【００５４】
一方、ステップＳ２０６で近接無線通信の接続が切断されたと判定されたら、処理はステップＳ２０７に移行され、音声の録音が終了される。そして、処理はステップＳ２０８に移行され、録音した音声データと、他機器２より受信した静止画像データとを関連付けて記録媒体１０に記録する。ここで、音声データと静止画像データとの関連付けを示す情報は、例えば制御部１５が有するＲＡＭや記録媒体１０に一時的に格納される。音声データの記録媒体１０への記録が終了すると、処理はステップＳ２０９に移行される。
【００５５】
一方、上述したステップＳ２０４で、音声入力がＯＦＦに設定されていると判定されたら、処理はステップＳ２１１に移行され、近接無線通信の接続が切断されるか否かが監視される。近接無線通信の接続が切断されたと判定されたら、処理はステップＳ２１２に移行される。
【００５６】
ステップＳ２１２では、静止画像データの再生時に用いられるＢＧＭがデフォルトのＢＧＭから選択される。例えば、上述の図６（ｂ）に示したメニュー画面３２でリスト３３から所望のＢＧＭを選択する。そして、他機器２より受信した静止画像データを、選択されたＢＧＭと関連付けて記録媒体１０に記録する。
【００５７】
次のステップＳ２０９では、上述のステップＳ２０３で開始された近接無線通信による接続時間の測定が終了される。そして、次のステップＳ２１０で、測定結果として得られた近接無線通信による接続時間を、静止画像データを再生する時間に設定して、処理がステップＳ２１５に移行される。
【００５８】
なお、上述では、近接無線通信を使用して他機器２と接続している時間を、静止画像データの再生時間に設定したが、これはこの例に限られない。例えば、デフォルトの再生時間を設定してもよいし、ユーザが操作部１７を操作してメニュー画面などに基づき再生時間を設定できるようにしてもよい。その場合、音声入力がＯＮに設定されているときは、ステップＳ２０６で近接無線通信が切断されたのを確認した後に、設定されている時間だけ音声を録音する時間を設けて、録音された音声データを受信した静止画像データと関連付けて記録する。
【００５９】
ここまでが、他機器２から静止画像データを受信した場合の処理である。次に、ステップＳ２０２で、他機器２より受信したデータが静止画像データではないと判定された場合について説明する。
【００６０】
上述したステップＳ２０２で、他機器２より受信したデータが静止画像データではないと判定されたら、処理はステップＳ２１３に移行される。ステップＳ２１３では、他機器２より受信したデータが動画像データであるか否かが判定される。
【００６１】
受信した挿入画像データが動画像データであるか否かの判定は、例えばどの画像種類の挿入画像データを受信するのかを、編集装置１において予め選択してから画像データの受信を開始することで可能である。これに限らず、挿入画像データがファイルに格納されるデータとして送信される場合には、ファイル名の拡張子に基づき静止画像データであるか否かを判定することができる。さらには、挿入画像データと共に挿入画像データの属性を示すメタデータを他機器２から送信するようにし、編集装置１側で、受信されたメタデータに基づき動画像データか否かを判定することもできる。
【００６２】
若し、ステップＳ２１３で、受信したデータが動画像データではないと判定されたら、処理はステップＳ２２０に移行されて、受信したデータが削除される。そして、図５のフローチャートによる一連の処理が終了され、処理は図４のステップＳ１０１に戻される。これは、受信したデータが静止画像データおよび動画像データの何れでもない場合には、編集を行うために有効なデータではないと考えられるからである。
【００６３】
一方、ステップＳ２１３で、受信したデータが動画像データであると判定されたら、処理はステップＳ２１４に移行され、近接無線通信による接続が切断されたか否かが監視される。若し、近接無線通信が切断されたと判定されたら、処理はステップＳ２１５に移行される。
【００６４】
なお、受信データが動画像データである場合は、編集装置１は、ステップＳ１０３で近接無線通信による接続が確立してからステップＳ２１４で切断が検知されるまでの間に、他機器２で再生された動画像データをストリームデータとしてリアルタイムに受信する。これに限らず、他機器２から、動画像データをファイルとして受信するようにしてもよい。また、他機器２からの挿入画像データの送信が完了したら、その旨を表示部１１に対して表示すると好ましい。
【００６５】
ステップＳ２１５では、プレイリスト上で、編集対象の動画像データを図４のステップＳ１０４で付与した挿入マーカの位置で分割する。そして、プレイリスト上で、分割した位置に対して他機器２より受信した挿入画像データ（静止画像データまたは動画像データ）を挿入する。
【００６６】
例えば、プレイリストにおいて、挿入マーカに対して挿入画像データを関連付けると共に、当該挿入画像データの情報を記述する。一例として、プレイリストに対して、編集対象の動画像データの再生が挿入マーカの位置に達したら、挿入画像データの再生に移行し、当該挿入画像データの再生が終了したら、編集対象の動画像データを挿入マーカの位置から再生するように、記述する。
【００６７】
、編集対象の動画像データの分割および分割された位置に対する挿入画像データの挿入が終了すると、処理はステップＳ２１６に移行される。ステップＳ２１６では、上述のステップＳ２１５で編集されたプレイリストの再生確認がユーザに対して促される。すなわち、ステップＳ２１５で編集されたプレイリストに基づく制御部１５の制御に従い、再生処理部１２により一連の動画像データが再生され、表示部１１に表示される。なお、再生表示は、一連の動画像データを全て再生してもよいし、挿入した挿入画像データの位置に対して前後一定時間のみを選択的に再生表示してもよい。
【００６８】
ステップＳ２１６による再生確認が終了すると、処理はステップＳ２１７に移行され、再生確認を行った編集内容でプレイリストを更新するか否かが判定される。例えば、操作部１７に対するユーザ操作が待機され、ユーザ操作により更新が指示されると、プレイリストを更新すると判定され、処理はステップＳ２１８に移行される。ステップＳ２１８では、プレイリストの更新が確定され、例えば更新されたプレイリストが記録媒体１０に記録される。
【００６９】
一方、ステップＳ２１７でプレイリストを更新しないと判定された場合には、処理はステップＳ２１９に移行される。ステップＳ２１９では、挿入画像データと、当該挿入画像データに関連付けた音声データの削除が行われる。また、このとき、プレイリストから挿入マーカを削除してもよい。
【００７０】
図７は、上述した一連の処理に基づいて編集される一例の画像データを示す。図７（ａ）に例示するような動画像データ４０を、編集装置１側が持つ編集対象の動画像データとする（図４のステップＳ１００）。図４のステップＳ１０２において、この動画像データ４０を再生中に、フレーム＃２とフレーム＃３の間で一時停止を行ったものとする。
【００７１】
この状態で他機器２との近接無線通信による接続が確立すると、図７（ａ）に例示されるように、フレーム＃２とフレーム＃３の間に挿入マーカ４１が付与される（図４のステップＳ１０４）。他機器２からの挿入画像データの受信が終了すると、動画像データ４０は、プレイリスト上で、挿入マーカ４１を挟んで動画像データ４２と動画像データ４３とに分割される。そして、図７（ｃ）に例示されるように、挿入マーカ４１の位置に、他機器２から受信した挿入画像データ４５を挿入する（図５のステップＳ２１４）。
【００７２】
挿入画像データ４５が静止画像データであった場合、そのままの静止画ファイルフォーマットでプレイリストを作成することができる。例えば、プレイリストに対して、挿入画像データ４５をステップＳ２１０で設定された再生時間だけ連続的に表示するように記述することが考えられる。この場合、例えばデコーダ（再生処理部１２）において、当該静止画像データが指定された再生時間の間、フレームタイミングで繰り返し連続的に出力することで、動画像として再生することができる。
【００７３】
これに限らず、再生効率を考慮して、静止画像データを動画像ファイルフォーマットに変換してフォトムービーを作成し、そのフォトムービーを挿入マーカ４１の位置に挿入してもよい。フォトムービーは、静止画像データを、所定の再生時間を有する一つの動画像データに変換したものをいう。一例として、編集部１６により、当該静止画像データを、ステップＳ２１０で設定された再生時間に対応するフレーム数になるように複製し、複製した静止画像データから当該再生時間分の動画像データを生成する。
【００７４】
なお、挿入画像データのフォーマット（例えば画像サイズ、アスペクト比など）が、編集対象の動画像データのフォーマットと異なる場合も有り得る。この場合、編集部１６において、挿入画像データのフォーマットを編集対象の動画像データのフォーマットに合わせて変換することが考えられる。これに限らず、挿入画像データと編集対象の動画像データとでフォーマットが異なる場合に、編集処理を中止するようにしてもよい。
【００７５】
また、上述では、図４のステップＳ１０２において編集対象の動画像データの再生が一時停止状態に遷移したと判定された場合に、ステップＳ１０３により近接無線通信の接続の確立を待機するように説明したが、これはこの例に限定されない。すなわち、編集装置１は、他機器２との近接無線通信の接続が確立されたことを以て、編集対象の動画像データの再生を一時停止状態に遷移させるようにできる。そして、編集対象データが一時停止している再生位置を示す挿入マーカを、当該編集対象の動画像データに付与する。このようにすることで、ユーザは、他機器２を編集装置１に接近させるという行為だけで、編集位置の指定と、他機器２から送信された画像データの編集位置に対する挿入とを行うことができる。
【００７６】
以上説明したように、本発明の第１の実施形態によれば、他機器２が持つ画像データを編集装置１が持つ動画像データに挿入する位置を示す挿入マーカが、他機器２を編集装置１に接近させることで自動的に設定される。そして、挿入マーカの設定に伴い、他機器２から送信された画像データの受信が開始される。そのため、他機器２が持つ画像データを編集装置１が持つ動画像データに挿入する動作を、簡易に行うことができる。
【００７７】
なお、上述では、編集装置１が専用的な機能を有するハードウェアであるとして説明を行ったが、これはこの例に限られない。例えば、編集装置１は、近接無線通信機能を備え、上述の各処理を実行する編集ソフトウェアをインストールしたパーソナルコンピュータであっても構わない。
【００７８】
＜第１の実施形態の変形例＞
次に、本発明の第１の実施形態の変形例について説明する。本変形例では、プレイリストを用いずに、編集対象の動画像データを直接的に編集する。図８は、上述した図４のステップＳ１０６に対し、本変形例による画像データ挿入処理を適用した一例のフローチャートである。この図８のフローチャートによる処理は、制御部１５によりプログラムに従い編集装置１の各部が制御されて実行される。
【００７９】
先ず、ステップＳ３００で、制御部１５は、他機器２から送信され図４のステップＳ１０５にて受信が開始されたデータが静止画像データであるか否かを判定する。受信したデータが静止画像データであるか否かの判定方法は、図５のステップＳ２０２で説明した方法と共通であるので、ここでの説明を省略する。
【００８０】
若し、ステップＳ３００で、受信したデータが静止画像データであると判定されたら、処理はステップＳ３０１に移行される。ステップＳ３０１では、他機器２が編集装置１と近接無線通信を用いて接続されている時間の測定を開始する。近接無線通信の接続が継続しているか否かの確認方法は、図５のステップＳ２０３で説明した方法と共通であるので、ここでの説明を省略する。
【００８１】
ステップＳ３０１で接続時間の測定が開始されると、処理はステップＳ３０２に移行され、音声入力がＯＮ（有効）に設定されているか否かを判定する。ステップＳ３０２で、音声入力がＯＮに設定されていると判定されたら、処理はステップＳ３０３に移行され、音声録音が開始される。そして、次のステップＳ３０４で、近接無線通信の接続が切断されたか否かを判定され、近接無線通信が接続されていると判定されたら、処理がステップＳ３０３に戻されて、音声の録音が継続される。
【００８２】
一方、ステップＳ３０４で近接無線通信の接続が切断されたと判定されたら、処理はステップＳ３０５に移行され、音声の録音が終了される。そして、処理はステップＳ３０６に移行され、録音した音声データと、他機器２より受信した静止画像データとを関連付けて記録媒体１０に記録する。音声データの記録媒体１０への記録が終了すると、処理はステップＳ３０８に移行される。
【００８３】
一方、上述したステップＳ３０２で、音声入力がＯＦＦに設定されていると判定されたら、処理はステップＳ３１０に移行され、近接無線通信の接続が切断されるか否かが監視される。近接無線通信の接続が切断されたと判定されたら、処理はステップＳ３１１に移行され、静止画像データの再生時に用いられるＢＧＭがデフォルトのＢＧＭから選択される。そして、他機器２より受信した静止画像データを、選択されたＢＧＭと関連付けて記録媒体１０に記録する。静止画像データが記録媒体１０に記録されると、処理がステップＳ３０７に移行される。
【００８４】
ステップＳ３０７では、上述のステップＳ３０１で開始された近接無線通信による接続時間の測定が終了される。そして、次のステップＳ３０８で、測定結果として得られた近接無線通信による接続時間を、静止画像データを再生する時間に設定して、処理がステップＳ３０９に移行される。
【００８５】
ステップＳ３０９では、制御部１５は、編集部１６を制御して、他機器２から受信した静止画像データのフォトムービーを生成して記録媒体１０に記録する。フォトムービーの再生時間は、例えばステップＳ３０８で設定された再生時間とされる。フォトムービーが生成されたら、処理はステップＳ３１４に移行される。
【００８６】
上述したステップＳ３００で、他機器２より受信したデータが静止画像データではないと判定されたら、処理はステップＳ３１２に移行される。ステップＳ３１２では、他機器２より受信したデータが動画像データであるか否かが判定される。受信したデータが動画像データであるか否かの判定方法は、図５のステップＳ２１３で説明した方法と共通であるので、ここでの説明を省略する。
【００８７】
若し、ステップＳ３１２で、受信したデータが動画像データではないと判定されたら、処理はステップＳ３２１に移行されて受信したデータが削除される。そして、図８のフローチャートによる一連の処理が終了され、処理は図４のステップＳ１０１に戻される。
【００８８】
一方、ステップＳ３１２で、受信したデータが動画像データであると判定されたら、処理はステップＳ３１３に移行され、近接無線通信による接続が切断されたか否かが監視される。若し、近接無線通信が切断されたと判定されたら、処理はステップＳ３１４に移行される。
【００８９】
受信データが動画像データである場合は、編集装置１は、ステップＳ１０３で近接無線通信による接続が確立してからステップＳ３１３で切断が検知されるまでの間に、他機器２で再生される動画像データをストリームデータとしてリアルタイムに受信する。これに限らず、他機器２から、動画像データをファイルとして受信するようにしてもよい。
【００９０】
ステップＳ３１４では、編集対象の動画像データを、図４のステップＳ１０４で付与した挿入マーカの位置で分割し、分割位置に対して他機器２より受信した挿入画像データを挿入する。例えば、編集対象の動画像データを挿入マーカ位置で分割して、２つの動画像データを生成する。そして、この２つの動画像データの間に、他機器２より受信した挿入画像データ、すなわち動画像データ、若しくは、ステップＳ３０９で作成されたフォトムービーを挿入して全体を結合し、１つの動画像データとする。これにより、編集対象の動画像データに対して他機器２より受信したデータを組み込む。
【００９１】
なお、ステップＳ３１４での処理は、編集対象の動画像データおよび他機器２より受信した動画像データ（またはステップＳ３０９で作成されたフォトムービー）を、記録媒体１０上または制御部１５が有するＲＡＭなどに複製し、複製されたデータに対して行う。
【００９２】
ステップＳ３１４で編集対象の動画像データに対する画像データの挿入処理が終了すると、処理はステップＳ３１５に移行される。ステップＳ３１５では、ステップＳ３１４で編集され作成された一連の動画像データを再生して表示部１１に表示し、ユーザに対して編集内容の確認を促す。この再生表示は、一連の動画像データを全て再生して行ってもよいし、挿入した画像データの位置に対して前後の一定時間を再生して行ってもよい。
【００９３】
ステップＳ３１５での再生表示が終了すると、処理はステップＳ３１６に移行され、こうして再生確認した編集内容で、オリジナルの編集対象の動画像データファイルを上書きするか否かの選択が待機される。例えば操作部１７に対して上書きを行う旨の操作が行われると、処理はステップＳ３１７に移行され、ステップＳ３１５で再生確認に用いた動画像データを用いて、記録媒体１０に記録された編集対象の動画像データのファイルを上書きする。
【００９４】
一方、ステップＳ３１６で、ユーザ操作により上書きを行わないことが選択されると、処理はステップＳ３１８に移行される。ステップＳ３１８では、ステップＳ３１５で再生確認を行った編集内容の動画像データファイルを新規に作成するか否かの選択が待機される。例えば操作部１７に対して新規ファイルを作成する旨の操作が行われると、処理がステップＳ３１９に移行され、ステップＳ３１５で再生確認に用いた動画像データに基づき新規の動画像データファイルを作成し、記録媒体１０に記録する。
【００９５】
さらに、ステップＳ３１８で新規ファイルを作成しないことが選択されると、処理はステップＳ３２０に移行され、挿入画像データと、当該挿入画像データに関連付けられた音声データとを記録媒体１０から削除する。
【００９６】
以上説明したように、本発明の第１の実施形態によれば、他機器２が持つ画像データを編集装置１が持つ動画像データに挿入する位置を示す挿入マーカが、他機器２を編集装置１に接近させることで自動的に設定される。そして、挿入マーカの設定に伴い、他機器２から送信された画像データの受信が開始される。そのため、他機器２が持つ画像データを編集装置１が持つ動画像データに挿入する動作を、簡易に行うことができる。
【００９７】
なお、上述では、編集装置１が専用的な機能を有するハードウェアであるとして説明を行ったが、これはこの例に限られない。例えば、編集装置１は、近接無線通信機能を備え、上述の各処理を実行する編集ソフトウェアをインストールしたパーソナルコンピュータであっても構わない。
【００９８】
＜第２の実施形態＞
次に、本発明の第２の実施形態について説明する。本第２の実施形態は、他機器２から受信した挿入画像データを、編集対象の動画像データの先頭または末尾に挿入する場合の例である。なお、本第２の実施形態による処理は、図１を用いて説明した編集装置１により実施することが可能であるため、本第２の実施形態を実施可能な構成については、説明を省略する。
【００９９】
図９は、本第２の実施形態による編集動作を示す一例のフローチャートである。この図９のフローチャートによる各処理は、制御部１５によりプログラムに従い編集装置１の各部が制御されて実行される。
【０１００】
編集装置１の動作モードが近接無線編集モードに切り換えられると、ステップＳ４００により、図１０（ａ）または図１０（ｂ）に例示される一覧画面５０が表示部１１に表示される。この一覧画面５０は、図２を用いて説明した一覧画面２０と同様に、記録媒体１０に記録される動画像データの所定のフレーム画像を縮小して一覧表示としたものである。ユーザは、操作部１７を操作して選択カーソル５１を移動させ、編集対象とする動画像データと、他機器２から受信する挿入画像データの挿入位置とを選択する。
【０１０１】
図１０の例では、選択カーソル５１は、選択中の縮小画像の左端または右端に表示される。図１０（ａ）のように、縮小画像の左端に選択カーソル５１が表示されている場合は、その縮小画像が示す動画像データ（この例では動画像データ＃１）の先頭に受信画像データを挿入することを表している。図１０（ａ）の状態でユーザが操作部１７を操作して選択カーソル５１を次に送ると、図１０（ｂ）に例示するように、縮小画像の右端に選択カーソル５１が移動する。縮小画像の右端に選択カーソル５１が表示されている場合は、縮小画像が示す動画像データの最後に受信画像データを挿入することを表している。さらに操作部１７を操作して選択カーソル５１を送っていくと、選択カーソル５１が、動画像データ＃２を示す縮小画像の左端、右端、さらに次の縮小画像の左端、…、という具合に順次移動していく。
【０１０２】
なお、図１０に示した一覧画面５０は一例であって、例えば縮小画像の上または下に選択カーソル５１を表示させるなど、他の方法で挿入画像データの挿入位置を指定するようにしてもよい。
【０１０３】
ステップＳ４００で編集対象の動画像データと挿入画像データの挿入位置が選択されたら、処理はステップＳ４０１に移行され、近接無線通信の接続が確立されるのを待機する。ステップＳ４０１による近接無線通信の接続確立の待機処理は、図４で説明したステップＳ１０３における処理と共通であるので、ここでの詳細な説明を省略する。
【０１０４】
ステップＳ４０１で、編集装置１と他機器２との間で近接無線通信による接続が確立されると、処理はステップＳ４０２に移行される。ステップＳ４０２では、編集対象の動画像データに対して、ステップＳ４００で選択された位置を示す挿入マーカを付与する。本第２の実施形態では、動画像データの先頭または末尾を示す挿入マーカが付与されることになる。
【０１０５】
処理はステップＳ４０３に移行され、他機器２から送信された挿入画像データの通信部１８による受信が開始され、次のステップＳ４０４で、受信された挿入画像データが、編集対象として選択された動画像データの挿入マーカの位置に挿入される。このステップＳ４０４による挿入画像データの挿入処理は、図５または図８のフローチャートで説明した処理と共通の処理で行うことができるため、ここでの詳細な説明は、省略する。
【０１０６】
以上説明したように、本発明の第１の実施形態によれば、他機器２が持つ画像データを編集装置１が持つ動画像データに挿入する位置を示す挿入マーカが、他機器２を編集装置１に接近させることで自動的に設定される。そして、挿入マーカの設定に伴い、他機器２から送信された画像データの受信が開始される。そのため、他機器２が持つ画像データを編集装置１が持つ動画像データに挿入する動作を、簡易に行うことができる。
【０１０７】
なお、上述では、編集装置１が専用的な機能を有するハードウェアであるとして説明を行ったが、これはこの例に限られない。例えば、編集装置１は、近接無線通信機能を備え、上述の各処理を実行する編集ソフトウェアをインストールしたパーソナルコンピュータであっても構わない。
【０１０８】
＜第３の実施形態＞
次に、本発明の第３の実施形態について説明する。本第３の実施形態は、他機器２から受信した音声データを、編集装置１に動画像データに伴い記録される音声データに対して、指定された位置から上書き記録する、所謂アフレコを行う。なお、本第３の実施形態による処理は、図１を用いて説明した編集装置１により実施することが可能であるため、本第２の実施形態を実施可能な構成については、説明を省略する。
【０１０９】
なお、本第３の実施形態においては、編集装置１に対して近接無線通信によりデータを送信する他機器２は、録音機能を有するデジタルスチルカメラや、半導体メモリに音声データを記録する、所謂ＩＣレコーダなどを適用することができる。
【０１１０】
図１１は、本第３の実施形態による音声データの上書き記録の一例の処理を示すフローチャートである。この図１１のフローチャートによる各処理は、制御部１５によりプログラムに従い編集装置１の各部が制御されて実行される。
【０１１１】
なお、以下では、編集装置１の記録媒体１０には、編集対象の動画像データが記録されると共に、当該動画像データと同期して再生するための音声データが当該動画像データに関連付けられて記録されているものとする。
【０１１２】
動作モードが近接無線編集モードに切り換えられると、制御部１５の制御により、表示部１１に対して、図２に例示されるような編集対象の動画像データを選択するための一覧画面２０が表示される。ユーザは、操作部１７を操作して選択カーソル２１を移動させ、編集対象とする動画像データを選択する。
【０１１３】
ステップＳ５００で上述のようにして編集対象の動画像データが選択されると、処理はステップＳ５０１に移行される。ステップＳ５０１では、選択された動画像データと、当該動画像データに関連付けられた音声データとが再生処理部１２により記録媒体１０から読み出される。記録媒体から読み出された動画像データは、エラー訂正符号および圧縮符号の復号処理などの再生処理が行われ、表示部１１に表示される。また、記録媒体１０から読み出された音声データは、再生処理部１２によりエラー訂正符号および圧縮符号の復号が行われ、図示されない出力音声処理部を介してスピーカなどから出力される。また、この音声データは、編集部１６が有する図示されないメモリに記憶される。
【０１１４】
次のステップＳ５０２では、動画像データおよび音声データの再生が一時停止状態に遷移したか否かが判定される。例えば、操作部１７に対するユーザ操作により一時停止が選択されると、動画像データおよび音声データの再生が一時停止状態に遷移する。若し、一時停止状態に遷移していないと判定されたら、処理はステップＳ５１３に移行され、動画像データおよび音声データの再生が終了したか否かが判定される。再生が終了したと判定されたら一連の処理が終了される。一方、再生が終了していないと判断されたら、処理はステップＳ５０１に戻され、動画像データおよび音声データの再生が継続される。
【０１１５】
一方、ステップＳ５０２で、動画像データおよび音声データの再生が一時停止状態に遷移したと判定されたら、処理はステップＳ５０３に移行され、近接無線通信の接続が確立されるのを待機する。接続が確立されていない場合、処理はステップＳ５０２に戻される。すなわち、ステップＳ５０３において、編集装置１は、他機器２からの近接無線通信による接続要求があるか否かを定期的に監視する状態となる。
【０１１６】
なお、他機器２において、この図１１のフローチャートの処理に先立って、編集装置１において選択されている動画像データに対応する音声データに対して上書きするための音声データを、予め選択しておく。この選択された音声データが、他機器２から編集装置１に対して、近接無線通信により送信されることになる。以下、他機器２から編集装置１に対してアフレコ処理のために送信される音声データを、アフレコ音声データと呼ぶ。
【０１１７】
ステップＳ５０３で、編集装置１と他機器２との間で近接無線通信による接続が確立されると、処理はステップＳ５０４に移行される。ステップＳ５０４では、一時停止状態の動画像データおよび音声データに対し、一時停止している再生位置を示す上書きマーカを付与する。この上書きマーカにより示される位置から、近接無線通信により接続された他機器２から受信した音声データが上書きされて組み込まれることになる。上書きマーカは、例えば制御部１５が有するＲＡＭに一時的に記憶される。
【０１１８】
処理は次のステップＳ５０５に移行され、他機器２から送信されたアフレコ音声データの通信部１８による受信が開始される。受信されたアフレコ音声データは、例えば再生処理部１２が有するメモリに逐次的に記憶される。例えば、通信部１８は、ステップＳ５０４での上書きマーカの付与が完了すると、他機器２に対して、アフレコ音声データの受信が可能になった旨を近接無線通信により通知する。他機器２は、この通知を受け取ると、選択されたアフレコ音声データの送信を開始する。
【０１１９】
次のステップＳ５０６で、受信されたアフレコ音声データが、編集対象として選択された動画像データおよび音声データに付与された上書きマーカの位置から上書きされる。例えば、通信部１８で受信されたアフレコ音声データが再生処理部１２に供給されて圧縮符号を復号され、編集部１６に供給される。編集部１６は、供給されたアフレコ音声データを、記録媒体１０から読み出され編集部１６が有するメモリに記憶された音声データに対し、上書きマーカに示される位置から上書きする。
【０１２０】
音声データの上書きが行われると、処理はステップＳ５０７に移行され、編集内容の確認がユーザに対して促される。すなわち、ステップＳ５０７では、ステップＳ５０６で編集された一連の動画像データおよび音声データを再生し、動画像データを表示部１１に表示させ、音声データを図示されないスピーカなどから出力させる。この確認のための再生は、一連の動画像および音声データのを全て再生して行ってもよいし、音声データの上書きを行った前後の一定時間を再生して行ってもよい。
【０１２１】
ステップＳ５０７での再生表示が終了すると、処理はステップＳ５０８に移行され、こうして再生確認した編集内容で、オリジナルの音声データファイルを上書きするか否かの選択が待機される。例えば操作部１７に対して上書きを行う旨の操作が行われると、処理はステップＳ５０９に移行され、ステップＳ５０７で再生確認に用いた音声データを用いて、記録媒体１０に記録された編集対象の音声データのファイルを上書きする。
【０１２２】
一方、ステップＳ５０８で、ユーザ操作により上書きを行わないことが選択されると、処理はステップＳ５１０に移行される。ステップＳ５１０では、ステップＳ５０７で再生確認を行った編集内容の音声データファイルを新規に作成するか否かの選択が待機される。例えば操作部１７に対して新規ファイルを作成する旨の操作が行われると、処理がステップＳ５１１に移行され、ステップＳ５０７で再生確認に用いた音声データに基づき新規の音声データファイルを作成し、記録媒体１０に記録する。
【０１２３】
さらに、ステップＳ５１０で新規ファイルを作成しないことが選択されると、処理はステップＳ５１２に移行され、他機器２から受信したアフレコ音声データを削除する。
【０１２４】
図１２を用いて、上述の一連の処理による、音声データに対する上書きマーカの付与、ならびに、音声データの上書き処理について、より具体的に説明する。図１２（ａ）に例示されるように、ステップＳ５００において動画像データ７０と、当該動画像データ７０と同期的に再生される音声データ６０とが選択されたものとする。この動画像データ７０および音声データ６０を再生中に、一時停止を行う（ステップＳ５０２）。そして、編集装置１と他機器２との間で近接無線通信による接続が確立すると（ステップＳ５０３）、一時停止した再生位置に上書きマーカ６１が付与される（ステップＳ５０４）。
【０１２５】
他機器２からのアフレコ音声データ６３の受信が終了すると、図１２（ｂ）のように、音声データ６０を、上書きマーカ６１の位置と、上書きマーカ６１の位置にアフレコ音声データ６３の再生時間分を加算した位置とで分割する。これにより、音声データ６０Ａ、６０Ｂおよび６０Ｃが生成される。そして、図１２（ｃ）に例示されるように、アフレコ音声データ６３を、上書きマーカ６１の位置から開始される音声データ６０Ｂに上書きする（ステップＳ５０６）。
【０１２６】
なお、上書きしたアフレコ音声データ６３の両端の位置で、それぞれ隣接する音声データ６０Ａおよび６０Ｃとクロスフェード処理を行うことができる。また、ここでは、アフレコ音声データ６３を、選択された動画像データ７０に対応する音声データ６０に対して上書きするように説明したが、これはこの例に限らず、アフレコ音声データ６３と音声データ６０とを、所定の音量の割合でミックス処理してもよい。
【０１２７】
なお、上述では、本第３の実施形態が音声データのアフレコ処理に適用されるものとして説明したが、これはこの例に限定されない。すなわち、本第３の実施形態は、編集対象データを動画像データとして、他機器２から送信された動画像データを編集対象データに対して上書きマーカ位置から上書きするような場合にも適用可能なものである。同様に、本第３の実施形態は、編集対象データである動画像データに対して、他機器２から送信された静止画像データを動画像データに変換して生成したフォトムービーを上書きマーカ位置から上書きするようにもできる。
【０１２８】
以上説明したように、本発明の第３の実施形態によれば、他機器２が持つ音声データを編集装置１が持つ音声データに上書きする位置を示す上書きマーカが、他機器２を編集装置１に接近させることで自動的に設定される。そして、挿入マーカの設定に伴い、他機器２から送信された音声データの受信が開始される。そのため、他機器２が持つ音声データを編集装置１が持つ音声データに上書きする動作を、簡易に行うことができる。
【０１２９】
なお、上述では、編集装置１が専用的な機能を有するハードウェアであるとして説明を行ったが、これはこの例に限られない。例えば、編集装置１は、近接無線通信機能を備え、上述の各処理を実行する編集ソフトウェアをインストールしたパーソナルコンピュータであっても構わない。
【０１３０】
＜第４の実施形態＞
次に、本発明の第４の実施形態について説明する。本第４の実施形態は、上述した第１〜第３の実施形態および第１の実施形態の変形例で説明した編集装置１を、デジタルビデオカメラに適用した例である。
【０１３１】
図１３は、本発明の第４の実施形態に適用可能な撮像装置であるデジタルビデオカメラ１００の一例の構成を示す。ＣＰＵ１１５は、このデジタルビデオカメラ１００の全体の動作を制御する。すなわち、ＣＰＵ１１５は、ＲＯＭ１１６に予め記憶されたプログラムに従い、ＲＡＭ１１７をワークメモリとして用いて動作し、デジタルビデオカメラ１００の各部の動作を制御する。上述した編集部１６は、このＣＰＵ１１５上で動作するプログラムにより実現される。編集部１６として機能するブロックを、ＣＰＵ１１５から制御可能に新たに設けてもよい。
【０１３２】
操作部１２０は、上述の操作部１７に対応し、ユーザ操作を受け付ける各種操作子が設けられ、操作子に対する操作に応じた制御信号を出力し、ＣＰＵ１１５に供給する。ＣＰＵ１１５は、この制御信号に応じて、このデジタルビデオカメラ１００の動作を制御することができる。
【０１３３】
ＯＳＤ生成部１１８は、ＣＰＵ１１５の命令に従い、上述の表示部１１に対応する表示部１１０にＯＳＤ(On Screen Display)表示させる画像データを生成する。例えば、ＯＳＤ生成部１１８は、編集対象の動画像データを選択するための一覧画面２０および５０や、音声入力設定を行うためのメニュー画面３０および３２を表示させる画像データを、ＣＰＵ１１５の命令に基づき生成する。ＯＳＤ生成部１１８で生成されたＯＳＤ表示のための画像データは、後述する表示部１１０に供給される。以下、ＯＳＤ表示のための画像データを、ＯＳＤ画像データと呼ぶ。
【０１３４】
先ず、記録側の構成について説明する。撮像光学系としての光学系１０１は、光学レンズ、ズーム機構、オートフォーカス機構および絞り機構を有する。ズーム機構、オートフォーカス機構および絞り機構の動作は、ＣＰＵ１１５により制御される。
【０１３５】
撮像手段としての撮像部１０２は、光学系１０１を介して入射された光を電気信号に変換するＣＣＤといった撮像素子と、撮像素子を駆動し画素毎の電荷の読み出しを行う駆動回路とを有する。さらに、撮像部１０２は、撮像素子から出力された撮像信号に所定の処理を施し画像データとする撮像信号処理部とを有する。駆動回路によりフレームタイミングで連続的に撮像素子からの電荷の読み出しを行うことで、動画像データを生成することができる。
【０１３６】
撮像部１０２から出力された動画像データは、画像処理部１０３に供給される。画像処理部１０３は、撮像素子から出力された動画像データに対してガンマ補正やノイズ除去処理、ホワイトバランス処理、画質補正処理など所定の信号処理を施す。画像処理部１０３で信号処理された動画像データは、動画符号化部１０４、静止画符号化部１０５および表示部１１０にそれぞれ供給される。
【０１３７】
画像処理部１０３から供給された動画像データと、ＯＳＤ生成部１１８から供給されたＯＳＤ画像データとが表示部１１０に供給される。表示部１１０は、表示制御部と、ＬＣＤといった表示デバイスおよびその駆動回路とからなる。撮影時などのモニタ画像を表示するための動画像データと、ＯＳＤ画像データとが表示部１１０で１画面に合成されて表示される。
【０１３８】
動画符号化部１０４は、画像処理部３から供給された動画像データを所定の圧縮符号化方式で圧縮符号化して出力する。圧縮符号化方式としては、ＭＰＥＧ２方式やＨ．２６４｜ＡＶＣ方式などが適用可能である。動画符号化部１０４で圧縮符号化された圧縮動画像データは、記録再生制御部１０６に供給される。
【０１３９】
画像処理部１０３は、ＣＰＵ１１５からの命令に基づき、撮像部１０２から供給された動画像データから指定されたフレームを抽出し、当該フレームによる静止画像データを出力することができる。この静止画像データは、静止画符号化部１０５に供給される。また、静止画符号化部１０５には、後述する画像処理部１１３からの静止画像データも供給される。静止画符号化部１０５は、供給された静止画像データを所定の圧縮符号化方式で圧縮符号化して出力する。圧縮符号化方式としては、ＪＰＥＧ方式などが適用可能である。静止画符号化部１０５で圧縮符号化された圧縮静止画像データは、記録再生制御部１０６に供給される。
【０１４０】
画像処理部１０３、動画符号化部１０４、静止画符号化部１０５および記録再生制御部１０６が、上述した記録処理部１３に対応する。
【０１４１】
音声処理手段としての音声入力部１３０は、上述の音声入力部１９に対応し、マイクロフォンといった音声入力デバイスや、アナログあるいはデジタル音声信号を入力するライン入力端などを含む。音声入力部１３０は、音声入力デバイスで集音された音声に基づくから出力されたアナログ音声信号や、ライン入力端から入力されたアナログ音声信号をデジタル音声信号に変換することができる。音声入力部１３０から出力されたデジタル音声信号は、上述の音声処理部１４に対応する音声処理部１３１に供給され、ノイズ除去、音質補正、レベル調整など所定の音声信号処理を施されて、音声符号化部１３２に供給される。
【０１４２】
音声符号化部１３２は、上述した記録処理部１３に含まれ、供給されたデジタル音声信号を、所定の圧縮符号化方式で圧縮符号化して出力する。このとき、音声符号化部１３２は、デジタル音声信号を、動画符号化部１０４で圧縮符号化される動画像データと同期可能に圧縮符号化する。適用可能な圧縮符号化方式としては、ＭＰ３や、ＡＡＣなどがある。なお、ＭＰ３は、Moving Pictures Experts Group 1 Audio Layer 3の略称である。また、ＡＡＣは、Advanced Audio Codingの略称である。音声符号化部１３２から出力された圧縮音声データは、記録再生制御部１０６に供給される。
【０１４３】
記録手段としての記録再生制御部１０６は、ＣＰＵ１１５の命令に従い、動画用記録媒体１０７や静止画用記録媒体１０８に対するデータの読み書きを制御する。記録再生制御部１０６は、例えば、動画符号化部１０４から供給された圧縮動画像データを動画用記録媒体１０７に記録し、静止画符号化部１０５から供給された圧縮静止画像データを静止画用記録媒体１０８に記録するように制御する。また、音声符号化部１３２から供給された圧縮音声データは、記録再生制御部１０６により、対応する圧縮動画像データと関連付けられて、動画用記録媒体１０７に記録される。
【０１４４】
動画用記録媒体１０７および静止画用記録媒体１０８として適用可能な記録媒体は、脱着可能な不揮発性メモリ、ディスク記録媒体、脱着可能またはデジタルビデオカメラ１００に内蔵されるハードディスクなど、特に限定されない。また、動画用記録媒体１０７および静止画用記録媒体１０８を、同一の記録媒体の異なる領域としてもよい。例えば動画用記録媒体１０７が上述した記録媒体１０に対応する。
【０１４５】
再生側の構成について説明する。再生手段としての記録再生制御部１０６は、ＣＰＵ１１５からの命令に基づき、指定された圧縮動画像データを動画用記録媒体１０７から読み出し、動画復号部１１１に供給する。動画復号部１１１は、供給された圧縮動画像データを記録時の符号化方式に応じて復号し、ベースバンドの動画像データとする。このベースバンドの動画像データは、画像処理部１１３に供給され、色調補正、コントラスト調整、シャープネス（エッジ強調）処理など所定の画質調整処理を施される。これらの画質調整は、例えば操作部１２０に対する操作に応じたＣＰＵ１１５の制御によりなされる。画像処理部１１３から出力された動画像データは、表示部１１０に供給され、必要に応じてＯＳＤ生成部１１８から供給されたＯＳＤ画像データと合成されて表示される。
【０１４６】
画像処理部１１３は、上述の画像処理部１０３と同様にして、ＣＰＵ１１５からの命令に基づき、動画復号部１１１から供給された動画像データから指定されたフレームを抽出し、当該フレームによる静止画像データを出力することができる。この静止画像データは、静止画符号化部１０５に供給される。
【０１４７】
また、画像処理部１１３は、上述の画像処理部１０３と同様に、動画復号部１１１から供給された動画像データの各フレームから、画像パラメータの抽出を行うことができる。抽出された画像パラメータは、例えばＣＰＵ１１５に供給される。
【０１４８】
静止画像データの再生も、同様である。すなわち、記録再生制御部１０６は、ＣＰＵ１１５からの指示に基づき静止画用記録媒体１０８から圧縮静止画像データを読み出し、静止画復号部１１２に供給する。静止画復号部１１２は、供給された圧縮静止画像データを記録時の符号化方式に応じて復号し、ベースバンドの静止画像データとする。このペースバンドの静止画像データは、画像処理部１１３に供給され上述のような所定の画像処理を施され、表示部１１０に供給される。
【０１４９】
画像処理部１１３、動画復号部１１１、静止画復号部１１２および記録再生制御部１０６が、上述した再生処理部１２に対応する。
【０１５０】
音声データの再生も、動画像データや静止画像データと同様にして行われる。すなわち、記録再生制御部１０６は、ＣＰＵ１１５からの指示に基づき動画用記録媒体１０７から圧縮音声データを読み出し、音声復号部１３３に供給する。音声復号部１３３は、供給された圧縮音声データを記録時の符号化方式に応じて復号し、ベースバンドの音声データとする。このベースバンドの音声データは、音声処理部１３４に供給され、所定に信号処理を施され、音声出力部１３５に供給される。音声出力部１３５は、供給されたデジタル音声信号をアナログ音声信号に変換し、例えばスピーカといった音声出力デバイスに供給する。デジタル音声信号またはアナログ音声信号をライン出力することもできる。
【０１５１】
通信部１２１は、上述した通信部１８と対応し、近接無線通信による通信を行う。より具体的には、通信部１２１は、近接無線通信を行うためのアンテナと、近接無線通信によるデータの送受信を行う送受信回路を含む。通信部１２１は、近接無線通信による通信の接続および切断状態を検知することができるようにされ、検知された通信の接続および切断状態は、ＣＰＵ１１５に通知される。
【０１５２】
このような構成において、撮像部１０２で撮像され動画用記録媒体１０７に記録された圧縮動画像データを再生し（図４のステップＳ１０１）、再生された動画像データの所望の位置で再生を一時停止状態とする（図４のステップＳ１０２）。また、近接無線通信に対応する他機器２（デジタルスチルカメラなど）において、デジタルビデオカメラ１００で一時停止状態となっている動画像データに挿入したい例えば静止画像データを、近接無線通信で送信可能な状態に用意する。
【０１５３】
この状態で、他機器２を通信部１２１に接近させると、デジタルビデオカメラ１００において、動画像データの一時停止している再生位置に対応して挿入マーカが設定される（図４のステップＳ１０４）。挿入マーカの設定後、他機器２から送信された静止画像データが通信部１２１に受信され、ＣＰＵ１１５に渡される。ＣＰＵ１１５は、渡された静止画像データを記録再生制御部１０６に供給し、静止画用記録媒体１０８に記録する。静止画像データを、動画用記録媒体１０７に記録してもよい。
【０１５４】
デジタルビデオカメラ１００において、ＣＰＵ１１５は、挿入マーカの情報を含むプレイリストを作成し（図５のステップＳ２０１）、近接無線通信による接続時間の測定を開始する（図５のステップＳ２０３）。プレイリストは、例えばＲＡＭ１１７に記憶される。
【０１５５】
音声入力を行う場合には、音声入力部１３０に入力された音声が音声処理部１３１を介して音声符号化部１３２に供給され、圧縮符号化処理がなされ、音声符号化部１３２内のメモリに逐次記憶される。（図５のステップＳ２０５）。通信部１２１が近接無線通信が切断されたことを検知すると、音声の記録が終了される。ＣＰＵ１１５は、音声符号化部１３２内のメモリに記憶された圧縮音声データと、通信部１２１で受信された静止画像データとを関連付けて、例えば動画用記録媒体１０７に記録する（図５のステップＳ２０８）。
【０１５６】
さらに、近接無線通信による接続時間の測定が終了され（図５のステップＳ２０９）、ＣＰＵ１１５は、測定の結果得られた接続時間を、静止画像データの再生時間に設定する（図５のステップＳ２１０）。そして、ＣＰＵ１１５は、プレイリスト上で、編集対象の動画像データを挿入マーカの位置で分割し、分割位置に通信部１２１で受信された静止画像データおよび音声データを挿入する（図５のステップＳ２１５）。
【０１５７】
ＣＰＵ１１５は、プレイリストに基づき、静止画像データが挿入された動画像データを再生させ、表示部１１０に表示させる（図５のステップＳ２１６）。対応する音声データも動画像データと同期して再生させることができ、音声出力部１３５から出力される。再生が確認されプレイリストを更新する場合には、例えばＲＡＭ１１７に記憶されたプレイリストが動画用記録媒体１０７に記録される（図５のステップＳ２１８）。
【０１５８】
このように、本第４の実施形態によれば、デジタルビデオカメラ１００で撮影さた動画像データの所望の位置に、他機器２から送信された静止画像データを挿入する操作を、他機器２をデジタルビデオカメラ１００に接近させることで、実行することができる。動画像データに対して他の機器から供給された静止画像データを挿入する処理を、簡易な操作で、且つ、パーソナルコンピュータなど他の機器を用いることなく実行できる。
【０１５９】
なお、上述では、編集装置１がデジタルビデオカメラであるとして説明を行ったが、編集装置１は、デジタルスチルカメラや据え置きのレコーダであっても構わない。
【０１６０】
＜他の実施形態＞
上述の各実施形態は、システム或は装置のコンピュータ（或いはＣＰＵ、ＭＰＵ等）によりソフトウェア的に実現することも可能である。従って、上述の各実施形態をコンピュータで実現するために、該コンピュータに供給されるコンピュータプログラム自体も本発明を実現するものである。つまり、上述の各実施形態の機能を実現するためのコンピュータプログラム自体も本発明の一つである。
【０１６１】
なお、上述の各実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【０１６２】
上述の各実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【０１６３】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【０１６４】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【０１６５】
つまり、上述の各実施形態を実現するためのプログラムファイルをクライアントコンピュータに提供するサーバ装置も本発明の一つである。
【０１６６】
また、上述の各実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【０１６７】
また、上述の各実施形態を実現するためのコンピュータプログラムは、すでにコンピュータ上で稼働するＯＳの機能を利用するものであってもよい。
【０１６８】
さらに、上述の各実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１６９】
【図１】本発明に適用可能な編集装置１の一例の構成を示すブロック図である。
【図２】編集対象の動画像データを選択するための一覧画面の例を示す図である。
【図３】本発明の各実施形態による編集装置と他機器との接続を説明するための図である。
【図４】本発明の第１の実施形態による編集動作を概略的に示す一例のフローチャートである。
【図５】本発明の第１の実施形態による画像データ挿入処理をより詳細に示す一例のフローチャートである。
【図６】音声入力の設定を行うためのメニュー画面の例を示す図である。
【図７】本発明の第１の実施形態による一連の処理に基づいて編集される一例の画像データを示す図である。
【図８】本発明の第１の実施形態の変形例による画像データ挿入処理を示す一例のフローチャートである。
【図９】本発明の第２の実施形態による編集動作を示す一例のフローチャートである。
【図１０】本発明の第２の実施形態による編集対象の動画像データを選択するための一覧画面の例を示す図である。
【図１１】本発明の第３の実施形態による音声データの上書き記録の一例の処理を示すフローチャートである。
【図１２】本発明の第３の実施形態の一連の処理による、音声データに対する上書きマーカの付与、ならびに、音声データの上書き処理について、より具体的に説明するための図である。
【図１３】本発明の第４の実施形態に適用可能なデジタルビデオカメラの一例の構成を示すブロック図である。
【符号の説明】
【０１７０】
１  編集装置
２  他機器
１０  記録媒体
１１  表示部
１２  再生処理部
１３  記録処理部
１４  音声処理部
１５  制御部
１６  編集部
１７  操作部
１８  通信部
１９  音声入力部
【図１】
2010130112.tif 000003
【図２】
2010130112.tif 000004
【図３】
2010130112.tif 000005
【図４】
2010130112.tif 000006
【図５】
2010130112.tif 000007
【図６】
2010130112.tif 000008
【図７】
2010130112.tif 000009
【図８】
2010130112.tif 000010
【図９】
2010130112.tif 000011
【図１０】
2010130112.tif 000012
【図１１】
2010130112.tif 000013
【図１２】
2010130112.tif 000014
【図１３】
2010130112.tif 000015